(57)【要約】【課題】測色部における移動機構と、操作者や記録媒体等と、の接触をより確実に防止して、測色部の機能を充分に発揮させることができる記録装置を提供すること。【解決手段】測色センサ７ｃを交換するときに開かれる測色部７の測色センサ交換カバー７ｂとは別に、測色部７の上方に位置する移動可能な測色部カバー８を備える。【選択図】図２
2013208713.tif 000002
【特許請求の範囲】
【請求項１】
記録媒体を搬送路に沿って所定の搬送方向に搬送する搬送部と、前記記録媒体に画像を記録する記録部と、前記記録部によって記録された画像を測色する測色部と、を備える記録装置であって、
前記測色部は、前記搬送方向と交差する方向に移動可能な測色センサと、前記測色センサを交換するときに開かれる第１のカバーと、を備え、
前記記録装置は、前記測色部の上方に位置する移動可能な第２のカバーを備える
ことを特徴とする記録装置。
【請求項２】
前記測色部は、前記搬送路から上方に離間する退避位置と、前記搬送路に接近する測色位置と、の間にて移動可能であり、
前記第２のカバーは、前記測色部が前記測色位置に移動したときにも移動停止状態が維持可能であることを特徴とする請求項１に記載の記録装置。
【請求項３】
前記記録部の上方に位置する移動可能な第３のカバーを備え、
前記第２のカバーは、前記第３のカバーよりも低い第１位置および第２位置に移動可能であることを特徴とする請求項１または２に記載の記録装置。
【請求項４】
前記記録部の上方に位置する移動可能な第３のカバーを備え、
前記第２のカバーは、前記第３のカバーの上方空間に進入しない第１位置および第２位置に移動可能であることを特徴とする請求項１または２に記載の記録装置。
【請求項５】
前記第２のカバーは、互いに回動可能に連結された複数のカバー部を含むことを特徴とする請求項１から４のいずれかに記載の記録装置。
【請求項６】
前記記録媒体を供給するための供給部を備え、
前記第２のカバーは、前記供給部の前記記録媒体の交換作業用の空間を形成する位置に移動可能であることを特徴とする請求項１から５のいずれかに記載の記録装置。
【請求項７】
前記第２のカバーは、上面が水平となる位置に移動可能であることを特徴とする請求項１から６のいずれかに記載の記録装置。
【発明の詳細な説明】
【技術分野】
【０００１】
本発明は、記録画像の測色機能を備えた記録装置に関するものである。
【背景技術】
【０００２】
記録媒体にインクを付与して画像を記録する記録装置においては、同じ色のインクを用いても、記録媒体の種類、および温度や湿度などの環境の変化によって記録画像の色味が異なる場合がある。一方、商業用の記録物などは、記録時の環境変化に拘わらず、記録画像の色味を安定させることが望まれている。
【０００３】
特許文献１には、記録装置に備わる測色部を用いて、色調整（キャリブレーション）を行う方法が記載されている。すなわち、所望の記録画像を記録する本記録動作の前に、記録装置によってキャリブレーション用のパターン（カラーパッチ）を記録し、そのカラーパッチを測色部によって読み取り、その読み取り結果に基づいてキャリブレーションを行なう。このような方法により、環境変化などに拘わらず同じ色味の画像を記録することができる。
【０００４】
また、特許文献１に開示されている測色部は、記録媒体の搬送方向と直交する方向に移動するキャリッジに、測色センサを搭載した構成となっている。このキャリッジは記録媒体上を移動するため、操作者がキャリッジに不用意に触れたり、それによって装置が停止することを防止するために、キャリッジを含む移動機構を覆う外装カバーが備えられている。その外装カバーは、測色センサの交換等を行うために開閉可能となっている。
【先行技術文献】
【特許文献】
【０００５】
【特許文献１】特開２００８−２８１５４９号公報
【発明の概要】
【発明が解決しようとする課題】
【０００６】
しかしながら、特許文献１に記載の記録装置は、操作者が不用意に外装カバーを開けたときに、操作者が測色部の移動機構に触れたり、それによって装置が停止して、それまで測色部によって測色したデータが無駄になるおそれがあった。
【０００７】
本発明の目的は、測色部における移動機構と、操作者や記録媒体等と、の接触をより確実に防止して、測色部の機能を充分に発揮させることができる記録装置を提供することにある。
【課題を解決するための手段】
【０００８】
本発明の記録装置は、記録媒体を搬送路に沿って所定の搬送方向に搬送する搬送部と、前記記録媒体に画像を記録する記録部と、前記記録部によって記録された画像を測色する測色部と、を備える記録装置であって、前記測色部は、前記搬送方向と交差する方向に移動可能な測色センサと、前記測色センサを交換するときに開かれる第１のカバーと、を備え、前記記録装置は、前記測色部の上方に位置する移動可能な第２のカバーを備えることを特徴とする。
【発明の効果】
【０００９】
本発明によれば、測色センサを交換するときに開かれる測色部のカバーとは別に、その測色部の上方に位置する移動可能なカバーを備えることにより、測色部における測色センサの移動機構と、操作者や記録媒体等と、の接触をより確実に防止することができる。この結果、操作者が測色部の移動機構に触れたり、それによって装置が停止して、それまで測色部によって測色したデータが無駄になるおそれがなくなり、測色部の機能を充分に発揮させることができる。
【図面の簡単な説明】
【００１０】
【図１】本発明の第１の実施形態における記録装置の概略斜視図である。
【図２】図１の記録装置の記録動作時における概略断面図である。
【図３】図１の記録装置の測色動作時における概略断面図である。
【図４】図１における測色部カバーの閉状態の概略断面図である。
【図５】図１における測色部カバーの開き途中状態の概略断面図である。
【図６】図１における測色部カバーの開き途中状態の概略断面図である。
【図７】図１における測色部カバーの解放状態の概略断面図である。
【図８】図１の記録装置の記録媒体交換時における概略断面図である。
【図９】図１の記録装置の記録ヘッド交換時等における概略断面図である。
【図１０】本発明の第２の実施形態における記録装置の測色動作時の概略断面図である。
【図１１】図１０の記録装置の記録媒体交換時における概略断面図である。
【発明を実施するための形態】
【００１１】
以下、本発明の実施形態を図面に基づいて説明する。  
（第１の実施形態）
図１は、本実施形態における記録装置の概略斜視図である。本例の記録装置は、シリアルスキャン方式のインクジェット記録装置（インクジェットプリンタ）としての適用例である。１は、インクジェットプリンタ（以下、「プリンタ」ともいう）の本体である。２は、プリンタ１に記録媒体Ｐを供給する給紙部であり、記録媒体Ｐを巻回したロールがセットされている。３は排紙ガイドであり、後述する記録部によって画像が記録されてから排出される記録媒体Ｐをガイドする。
【００１２】
図２から図９は、図１のプリンタ１の横断面図であり、図２は、記録を行なっている状態を表している。４は搬送ローラ対、５はプラテンであり、これらによって、記録媒体Ｐを搬送路に沿って矢印Ｙ１，Ｙ２の搬送方向（副走査方向）に搬送する搬送部が構成されている。記録媒体Ｐは、給紙部（供給部）２から搬送ローラ対４によって矢印Ｙ１の搬送方向に搬送され、プラテン５の上部を通過して排紙ガイド３へと導かれる。６は記録部であり、筐体６ａと、その内部に備わる記録ヘッド６ｂと、を含む。記録ヘッド６ｂは、インクを吐出可能な複数のノズルが形成されたインクジェット記録ヘッドであり、副走査方向と交差（本例の場合は、直交）する主走査方向に移動可能なキャリッジに搭載されている。記録ヘッド６ｂにおけるノズルは、主走査方向と交差（本例の場合は、直交）する方向に沿うノズル列を形成するように配列されており、電気熱変換素子（ヒータ）やピエゾ素子などの吐出エネルギー発生素子を用いてインクを吐出する。ヒータを用いた場合には、その発熱によってインクを発泡させ、その発泡エネルギーを利用して、ノズル先端の吐出口からインクを吐出することができる。記録ヘッド６ｂは、パーソナルコンピュータ形態などのホスト装置からの入力データに基づいて、複数のノズルから選択的にインクを吐出する。
【００１３】
画像を記録する際には、キャリッジと共に記録ヘッド６ｂを主走査方向に移動させつつ、その記録ヘッド６ｂからインクを吐出する動作と、記録媒体Ｐを所定量ずつ副走査方向に搬送する動作と、を交互に繰り返す。記録媒体Ｐに記録する画像には、色調整（キャリブレーション）用のパターンとしてのカラーパッチが含まれる。本例の場合、キャリッジは、副走査方向と直交する図２中の紙面の表裏方向に移動する。
【００１４】
７は測色部であり、筐体７ａ、測色センサ交換カバー（第１のカバー）７ｂ、測色センサ７ｃ、およびヒンジ７ｄなどによって構成されている。記録部６によって記録媒体Ｐに記録されたカラーパッチは、後述するように、矢印Ｙ２の搬送方向と交差（本例の場合は、直交）する方向に移動する測色センサ７ｃによって読み取られ、その読み取り結果に基づいてキャリブレーションが行われる。測色センサ交換カバー７ｂは、筐体７ａの開口部を開閉するように、筐体７ａに対して回動可能に取り付けられており、この測色センサ交換カバー７ｂを開けることによって、測色センサ７ｃの交換等を行うことができる。筐体７ａは、ヒンジ７ｄを中心として、矢印Ａ１の退避位置と、矢印Ａ２の測色位置と、の間において上下方向に回動可能であり、後述するように測色位置に回動した状態において測色動作を行う。８は測色部カバー（第２のカバー）であり、後カバー部８ａと前カバー部８ｂを含む。９は記録部カバー（第３のカバー）、１０はカバーヒンジであり、記録部カバー９は、カバーヒンジ１０を中心として矢印Ｂ１，Ｂ２の上下方向に回動可能である。記録部カバー９を矢印Ｂ２の上方に開けることにより、記録部６における記録ヘッド６ｂの交換、およびプラテン５の清掃等を行うことができる。
【００１５】
図３は、記録媒体Ｐに記録されたカラーパッチを測色部７によって読み取る状態を表している。測色部７は、ヒンジ７ｄを中心として筐体７ａが矢印Ａ２の下方に回動することにより、記録媒体Ｐを挟むように、排紙ガイド３に当接する位置（測色位置）にて停止する。測色センサ７ｃは、このように記録媒体に接近する測色位置において、矢印Ｙ２の搬送方向と直交する図３中紙面の表裏方向に移動することにより、記録媒体Ｐ上のカラーパッチを読み取る。その後、測色ヒンジ７ｄを中心として測色部７を矢印Ａ１の上方に回動させて、一旦、それを排紙ガイド３から離間させてから、記録媒体Ｐを所定量搬送する。そして、次に測色すべきパッチが測色位置に達したときに、記録媒体Ｐの搬送を停止してから、ヒンジ７ｄを中心として測色部７を矢印Ａ２の下方に回動させて、記録媒体Ｐを挟むように排紙ガイド３に当接する測色位置にて停止させる。その後、測色センサ７ｃは、この測色位置において図３中紙面の表裏方向に移動することにより、記録媒体Ｐ上のカラーパッチを読み取る。
【００１６】
このような動作を繰り返すことにより、記録媒体Ｐ上に記録された全てのカラーパッチが測色部７の測色センサ７ｃによって読み取られる。このような読み取り動作時において、測色部カバー８は、測色部７と共に上下に移動することなく、図２のように測色部７の上方を覆う閉位置に保持される。つまり、測色部カバー８は、測色部７が移動するときにも図２のような停止状態に維持可能である。したがって、操作者が不用意に測色部７に触れたり、それによって測色動作が停止することがなく、それまでに測色したデータが無駄になるということもない。また、操作者は、記録された内容をチェックするために、プリンタ１の上面に記録済の記録媒体Ｐを載置する場合がある。この場合、そのような記録済みの記録媒体Ｐが測色部カバー８の上面に載置されたとしても、その測色部カバー８が図２の閉位置にて移動停止状態に維持されて、それが下がることがないため、その上の記録済の記録媒体Ｐが落下することもない。本例の場合、測色部カバー８が閉じられているときに、後カバー部８ａと前カバー部８ｂの上面は、記録媒体Ｐを載置可能な水平面を形成する。また、測色部７が図３のような測色位置に回動しているときには、測色センサ交換カバー７ｂを開けることにより測色センサ７ｃの交換等を行うこともできる。
【００１７】
図４は、測色部カバー８が閉じているときの断面図、図５および図６は、その測色部カバー８が開き途中にあるときの断面図、図７は、その測色部カバー８を開いたときの断面図である。
【００１８】
８ｃおよび８ｄは、後カバー部８ａに設けられたカバーヒンジである。後カバー部８ａは、プリンタ１の本体に対して、カバーヒンジ８ｃを中心として矢印Ｃ１，Ｃ２の上下方向に回動可能に取り付けられている。前カバー部８ｂは、後カバー部８ａに対して、カバーヒンジ８ｄを中心として矢印Ｄ１，Ｄ２の上下方向に回動可能に取り付けられている。８ｅは、前カバー８ｂに取り付けられた取っ手であり、操作者は、図４のように測色部カバー８が閉位置（第１位置）から、取っ手８ｅを持って矢印Ｅ方向に持ち上げることにより、測色カバー８を開くことができる。前カバー部８ｂは、後カバー部８ａに対してカバーヒンジ８ｄを中心に回動可能である。しかし、前カバー部８ｂが矢印Ｅ方向に開かれるときは、前カバー部８ｂと後カバー部８ａの境界部８ｆが当接しているため、図５のように、後カバー部８ａも前カバー部８ｂと共にカバーヒンジ８ｃを中心として矢印Ｃ２方向に回動する。境界部８ｆは、前カバー部８ｂの端部８ｇと、後カバー部８ａの端部８ｈと、によって形成される部分である。このように、前カバー部８ｂが矢印Ｅ方向に開かれるときは、それと一体的に、後カバー部８ａがカバーヒンジ８ｃを中心として矢印Ｃ２方向に回動する。その後、さらに測色部カバー８を開けることにより、図６のように、前カバー部８ｂと後カバー部８ａの境界部８ｆを離間させる方向の力が作用し、最終的には、図７のような開放位置（第２位置）となる。本例の場合、このように測色部カバー８が解放されたときに、前カバー部８ｂの上面は水平面を形成する。
【００１９】
図８は、測色部カバー８を開放した後に、測色部７を矢印Ａ２の下方に回動させた状態を表している。給紙部２にセットされているロール状の記録媒体Ｐの残量がなくなった場合、および、記録媒体Ｐの種類を変更する場合、操作者は記録媒体Ｐのロールを交換する必要がある。本例のような測色部７を備えるプリンタ１の場合、測色部７が手前側（図８中の左側）に位置するため、プリンタ１の奥行寸法（図８中の左側から右側の長さ）が大きくなる。そのため、プリンタ１の後方側（図８中の右側）に位置する給紙部２は、操作者が位置する手前側から遠くなる。
【００２０】
測色部カバー８を解放したときには、図８のように後カバー部８ａと前カバー部８ｂが座屈するように相対的に回動するため、測色部カバー８の高さが低く抑えられることになる。したがって、測色部カバー８を解放して、測色部７を矢印Ａ２の下方に回動させたときには、測色部カバー８の高さを抑えつつ、プリンタ１の手前側に空間１１を形成することができる。その空間１１は、記録媒体Ｐの交換のために操作者が前傾姿勢をとるための空間（交換作業用の空間）として利用することができる。このように、操作者が前傾姿勢をとるための空間１１を確保しつつ、測色部カバー８の高さを抑えることにより、操作者は、プリンタ１の手前側から記録媒体Ｐを容易に交換することができる。また、測色部７が図８のような測色位置に回動しているときには、測色センサ交換カバー７ｂを開けることにより測色センサ７ｃの交換等を行うこともできる。また、測色部カバー８は、図２および図３のような閉位置、および図８のような解放位置に移動したときに、記録部カバー９よりも低くなり、その記録部カバー９の上方空間には進入しない。
【００２１】
仮に、測色部カバー８の後カバー部８ａと前カバー部８ｂとを一体的に構成した場合には、図８中の点線のように、その測色部カバー８を解放したときに、それが上方に高く跳ね上がることになる。記録媒体Ｐの交換のために操作者が前傾姿勢をとれるように、このような測色部カバー８を開いたとしても、それが上方に高く跳ね上がるため、それが記録媒体Ｐの交換の邪魔となってしまう。
【００２２】
図９は、図８の状態から、記録部カバー９を矢印Ｂ２方向に解放した状態を表している。この状態において、プリンタ１の手前側の操作者は、前傾姿勢をとって、記録部６の記録ヘッド６ｂの交換やプラテン５の清掃等の操作を真上から容易に行うことができる。
【００２３】
（第２の実施形態）
図１０および図１１は、本発明の第２の実施形態におけるプリンタ１の断面図であり、図１０は測色時の状態、図１１は、給紙部２における記録媒体Ｐの交換時の状態をそれぞれ表している。上述した実施形態における測色部カバー８は、後カバー部８ａと前カバー部８ｂとを回動可能に連結した構成となっているが、本実施形態の測色部カバー２０は、それらの後カバー部８ａと前カバー部８ｂを一体化したような構成とされている。
【００２４】
本例の測色部カバー２０は、プリンタ１の本体に対して、ヒンジ２０ａを中心として矢印Ｆ１，Ｆ２方向の上下方向に回動可能に取り付けられている。記録時および測色時には、不図示のストッパにより図１０のような上方への回動位置に保持されている。本例の場合、測色部カバー２０が図１０のような回動位置にあるときに、その上面は、記録媒体Ｐを載置可能な水平面を形成する。
【００２５】
給紙部２における記録媒体Ｐの交換時には、不図示のストッパを外して測色部７を測色位置に矢印Ａ２の下方に回動させることにより、図１１のように、測色部カバー２０も追従して矢印Ｆ２の下方に回動する。この結果、プリンタ１の手前側に、測色部カバー２０の上方に位置する空間２１を形成することができる。この空間２１は、記録媒体Ｐの交換のために操作者が前傾姿勢をとるための空間として利用することができる。このように、操作者が前傾姿勢をとるための空間２１を確保しつつ、測色部カバー２０を低くすることにより、操作者は、プリンタ１の手前側から記録媒体Ｐを容易に交換することができる。測色部７が図１１のような測色位置に回動しているときには、測色センサ交換カバー７ｂを開けることにより測色センサ７ｃの交換等を行うこともできる。記録媒体Ｐを交換した後は、測色部７を上方に回動させることにより、それと共に測色部カバー２０も矢印Ｆ１の上方に回動し、それが図１０の位置まで回動したときに不図示のストッパを掛ける。測色部７を電動モータによって回動させて、それに追従するように測色部カバー２０が回動するように構成してもよく、また測色部７および測色部カバー２０のストッパは電気的に動作させるように構成してもよい。
【００２６】
（他の実施形態）
記録部は、画像を記録可能な構成であればよく、その記録方式などは任意である。例えば、上述したようなシリアルスキャン方式のみに特定されず、例えば、いわゆるフルライン方式であってもよい。また、記録ヘッドとしては、インクを吐出可能なインクジェット記録ヘッドのみに特定されない。また、測色部は記録媒体に記録されたパッチを測色可能な構成であればよく、上述したように測色センサが移動する構成のみに特定されない。
【符号の説明】
【００２７】
１  記録装置
６  記録部
７  測色部
７ｂ  測色センサ交換カバー（第１のカバー）
７ｃ  測色センサ
８  測色部カバー（第２のカバー）
８ａ  後カバー部
８ｂ  前カバー部
９  記録部カバー（第３のカバー）
【図１】
2013208713.tif 000003
【図２】
2013208713.tif 000004
【図３】
2013208713.tif 000005
【図４】
2013208713.tif 000006
【図５】
2013208713.tif 000007
【図６】
2013208713.tif 000008
【図７】
2013208713.tif 000009
【図８】
2013208713.tif 000010
【図９】
2013208713.tif 000011
【図１０】
2013208713.tif 000012
【図１１】
2013208713.tif 000013